(57)【要約】【課題】ハンガーに掛けられたトップスとボトムとのコーディネイトをリアルに確認することができるハンガー支持体を提供することを課題としている。【解決手段】支持用本体の正面に配置され、ハンガーを取り付ける上下のハンガー取付部２４，３１を、各ハンガー取付部２４，３１に取り付けられる上下のハンガー２３，２９のうち、上方のハンガー２３に上半身に着用する衣服であるトップスを掛け、下方のハンガー２４に下半身に着用する衣服であるボトムを掛けると、該トップスとボトムとが互いに着用状態で展示配置されるように、位置決めして設ける。【選択図】図１
2007300965.tif 000002
【特許請求の範囲】
【請求項１】
支持用本体の正面に配置され、ハンガーを取り付ける上下のハンガー取付部（２４），（３１）と、各ハンガー取付部（２４），（３１）に取り付けられる上下のハンガー（２３），（２９）とを備え、上半身に着用する衣服であるトップスを上方のハンガー（２３）に掛け、且つ下半身に着用する衣服であるボトムを下方のハンガー（２９）に掛けた状態で、該トップスとボトムとが互いに着用状態で展示配置されるように、上下の両ハンガー取付部（２４），（３１）及びハンガーが位置決めされたハンガー支持体。
【請求項２】
上方側ハンガー取付部（２４）と下方側ハンガー取付部（３１）の一方又は両方を上下移動させる上下移動手段を設けた請求項１のハンガー支持体。
【請求項３】
上下移動手段が、上方側ハンガー取付部（２４）と下方側ハンガー取付部（３１）とを、別々又は一体的に上下移動させる請求項２のハンガー支持体。
【請求項４】
上方側ハンガー取付部（２４）と下方側ハンガー取付部（３１）とが上下移動手段を介して支持用本体に取り付けられて構成される請求項２又は３のハンガー支持体。
【請求項５】
支持用本体がスタンド（２）からなる請求項１又は２又は３又は４のハンガー支持体。
【請求項６】
スタンド（２）が、上方側ハンガー取付部（２４）及び下方側ハンガー取付部（３１）の後方側に配置されるプレート（６）を備えてなる請求項５のハンガー支持体。
【請求項７】
上方側ハンガー取付部（２４）及び下方側ハンガー取付部（３１）とプレート（６）との間に、該プレート（６）に対して所定間隔を介して透明プレート（７）を設け、該透明プレート（７）をプレート（６）側に取り付けた請求項６のハンガー支持体。
【請求項８】
着用状態に展示配置される衣服を着用する人の顔を表示する表示体を、展示配置されたトップスの上方に配置して設けた請求項１又は２又は３又は４又は５又は６又は７のハンガー支持体。
【請求項９】
表示体が鏡（２７）からなる請求項８のハンガー支持体。
【発明の詳細な説明】
【技術分野】
【０００１】
本発明は、ハンガーに掛けられたトップスとボトムとを着用状態で展示配置することができるハンガー支持体に関する。
【背景技術】
【０００２】
従来衣服吊り用の左右に突出するアームを備えた本体からなり、他のハンガーのフック部の係止が可能な係止部を本体に設けたハンガーが公知となっている（例えば特許文献１及び特許文献２参照）。またハンガーを取り付けることができるスタンド（ハンガー掛け装置）として特許文献３の図６に示されるような装置が公知となっている。
【特許文献１】特開２００４−２４８９５３号公報
【特許文献２】特開２００２−１３６４１５号公報
【特許文献３】特開平１１−１８９０２号公報
【発明の開示】
【発明が解決しようとする課題】
【０００３】
上記ハンガーは上半身に着用するトップスにおけるシャツ等のインナーとジャケット等のアウターとのコーディネイト状態を確認することが前提となっており、下方側のハンガーに下半身に着用するボトムを掛けても、トップスの位置に対してボトムの位置が高くなり過ぎ、トップスとボトムとのリアルなコーディネイト状態を再現することができず、特許文献１，２のハンガーを特許文献３のハンガー掛け装置に取り付けても、トップスとボトムとコーディネイトをリアルに確認することができなかった。
【課題を解決するための手段】
【０００４】
上記課題を解決するための本発明のハンガー支持体は、支持用本体の正面に配置され、ハンガーを取り付ける上下のハンガー取付部２４，３１と、各ハンガー取付部２４，３１に取り付けられる上下のハンガー２３，２９とを備え、上半身に着用する衣服であるトップスを上方のハンガー２３に掛け、且つ下半身に着用する衣服であるボトムを下方のハンガー２９に掛けた状態で、該トップスとボトムとが互いに着用状態で展示配置されるように、上下の両ハンガー取付部２４，３１及びハンガーが位置決めされたことを第１の特徴としている。
【０００５】
第２に上方側ハンガー取付部２４と下方側ハンガー取付部３１の一方又は両方を上下移動させる上下移動手段を設けたことを特徴としている。
【０００６】
第３に上下移動手段が、上方側ハンガー取付部２４と下方側ハンガー取付部３１とを、別々又は一体的に上下移動させることを特徴としている。
【０００７】
第４に上方側ハンガー取付部２４と下方側ハンガー取付部３１とが上下移動手段を介して支持用本体に取り付けられて構成されることを特徴としている。
【０００８】
第５に支持用本体がスタンド２からなることを特徴としている。
【０００９】
第６にスタンド２が、上方側ハンガー取付部２４及び下方側ハンガー取付部３１と後方側において対向するプレート６を備えてなることを特徴としている。
【００１０】
第７に上方側ハンガー取付部２４及び下方側ハンガー取付部３１とプレート６との間に、該プレート６に対して所定間隔を介して透明プレート７を設け、該透明プレート７をプレート６側に取り付けたことを特徴としている。
【発明の効果】
【００１１】
以上のように構成される本発明の構造によると、トップスを上方のハンガー取付部に取り付けられる上方のハンガーに掛け、ボトムを下方のハンガー取付部に取り付けられる下方のハンガーに掛けることによって、トップスとボトムとが互いに着用状態で展示配置されるため、よりリアルにトップスとボトムとのコーディネイト等を確認することができるという効果がある。
【００１２】
例えば本ハンガー支持体をアパレルの店舗等に設置することによって、衣服等の購入者が当該店舗において、展示されているトップス、ボトム、インナー、アウター等をハンガーを介して本ハンガー支持体に掛け、購入前にコーディネイトをリアルに確認することができる。
【００１３】
上方側ハンガー取付部と下方側ハンガー取付部の一方又は両方を、各々別々又は一体的に上下移動させる上下移動手段を設けることによって、上方側ハンガー取付部と下方側ハンガー取付部の位置を一体に又は別々にトップスやボトムのサイズ、種類、あるいは身長に合わせて調節することができ、サイズ変更等に容易に対応することができる。
【００１４】
特に上方側ハンガー取付部と下方側ハンガー取付部とを上下移動手段を介して支持用本体に取り付けることにより、上方側ハンガー取付部と下方側ハンガー取付部とを移動可能に容易に支持用本体に取り付けることができる。そして支持用本体をスタンドから構成することによって、本ハンガー支持体の移動等を容易に行うことができる。
【００１５】
支持用本体をスタンドから構成する場合、上方側ハンガー取付部及び下方側ハンガー取付部の後方側にプレートを配置して設けると、プレートに模様や必要事項の記載等を行うことができ、特に上方側ハンガー取付部及び下方側ハンガー取付部とプレートとの間に、該プレートに対して所定間隔を介して透明プレートを設け、該透明プレートをプレート側に取り付けることにより、プレートと透明プレートとの間にポスターやその他表示物を配置し、ポスターや表示物を正面（前方）側から見ることができるようにすることができる。この場合ポスターや表示物の変更を容易に行うことができる。
【００１６】
一方着用状態に展示配置される衣服を着用する人の顔を表示する鏡等からなる表示体を、展示配置されたトップスの上方に配置して設けることによって、表示体に展示配置されるトップスとボトムのコーディネイトを着用対象者の顔に合わせて確認することができる。
【発明を実施するための最良の形態】
【００１７】
図１は本ハンガー支持体１の正面斜視図、図２は側断面図、図３は斜め上方視の斜視図である。該ハンガー支持体１は、本体となるスタンド部２とフック部３とを備えている。スタンド部２は、フロア等に設置される底板４と、該底板４に対して略垂直に立設される背面板６と、該背面板６の前方に設けられる前面板７とを備えている。
【００１８】
背面板６は、左右両側に一体的に取り付けられた支柱８を介して底板４に一体的に固定されている。前面板７は透明なプラスチック等の透明部材からなる透明プレートである。前面板７は背面板６の前方に所定距離ｔを介して背面板６に対して略平行に配置されている。前面板７はヘッドを備えたピン９を介して背面板６に取り付けられている。
【００１９】
ピン９の後端に設けられたネジ孔に背面板６の後方（背面）からボルト１０を螺合させることによって前面板７と背面板６とが固定される。本実施形態においてはピン９の軸にカラー１１を挿入することによって背面板６と前面板７との間の距離が維持されている。ボルト１０をピン９から取り外すことによって、前面板７を背面板６から分離することができる。
【００２０】
上記フック部３は、上下方向のスライドレール１２と、該スライドレール１２にスライド自在に取り付けられる２つのフック体１３，１４とからなる。スライドレール１２は前面板７の前方に上下方向に設けられている。スライドレール１２は一体的に設けられた軸１６を介して背面板６に取り付けられている。
【００２１】
軸１６は前面板７を通過し、背面板６に裏面（後方）からボルト１７によって固定されている。ボルト１７を軸１６から取り外すことによってスライドレール１２をスタンド部２から取り外すことができる。
【００２２】
上方側のフック体１３は、スライドレール１２にスライド自在に装着されるスライド子１８と、該スライド子１８に一体的に取り付けられた上フック１９と、該上フック１９の先端に取り付けられたミラーユニット２１と、該ミラーユニット２１に一体的に取り付けられた帽子フック２２とからなる。
【００２３】
スライド子１８には、押ボタン１８ａが設けられている。スライド子１８は、上記押ボタン１８ａを押し操作することによってスライドレール１２に沿って上下に自由にスライドし、押ボタン１８ａの押し操作を解除するとスライドレール１２に対して位置決めされる。スライドレール１２とスライド子１８とによって上下移動手段が構成されている。
【００２４】
該上下移動手段により、スライド子１８をスライドレール１２に対して上下スライド移動させることによってフック体１３全体が上下移動する。スライド子１８をスライドレール１２に対して位置決めすることによって、フック体１３が位置決めされる。上記スライド子１８は従来公知であるため詳細な説明は割愛する。
【００２５】
上フック１９は板状部材からなる。上フック１９は基端部がスライド子１８の上端部分に一体的に固定されている。上フック１９は、スライド子１８との固定位置から、いったん上方に立ち上がった後、前方に向かって突出するとともに、先端側が下方に向かうように湾曲しながら傾斜し、先端部分が所定の長さで略水平となるように折り曲げ形成されている。
【００２６】
上フック１９における上記略水平部分にハンガー２３を係止することができる。上フック１９の上記略水平部分がハンガー２３を係止等によって取り付けることができる上ハンガー取付部２４をなす。
【００２７】
前述のミラーユニット２１はプレート状の枠体２６に鏡２７が嵌め込まれた構造となっている。鏡２７が正面側を向くように枠体２６が上フック１９の係止部２４の先端に一体的に固定されている。前述の帽子フック２２は、人間の頭部に沿った形状に湾曲された一本のワイヤからなる。ワイヤがミラーユニット２１の枠体２６に一体的に固定されている。
【００２８】
下方側のフック体１４は、上方側のフック体１３に使用されているものと同一のスライド子１８と、該スライド子１８に一体的に取り付けられる下フック２８と、該下フック２８の先端に取り付けられるクリップ２９とからなる。上方側のフック体１３と同様に、スライドレール１２とスライド子１８とによって構成される上下移動手段により、フック体１４は全体が上下移動し、且つ所定位置に位置決めされる。
【００２９】
上記下フック２８は板状部材からなる。下フック２８は基端部がフック体１４のスライド子１８の下端部分に一体的に固定されている。下フック２８は、スライド子１８との固定位置から、いったん下方に向かって略垂直に下がった後、先端側が略水平に前方に向かって突出する略逆Ｌ字状をなすように折り曲げ形成されている。
【００３０】
図２に示されるように、下フック２８における上記略水平部分にハンガー２５を係止することができる。下フック２８の上記略水平部分が、ハンガー２５を係止等によって取り付けることができる下ハンガー取付部３１をなす。
【００３１】
下フック２８は、基端部をフック体１４のスライド子１８の上端部分に一体的に固定し、スライド子１８との固定位置から、いったん上方に向かって略垂直に突出した後、先端側が略水平に前方に向かって突出するように折り曲げ形成することもできる。
【００３２】
上記クリップ２９は、前後２枚のプレート２９ａ，２９ｂが側面視において略Ｖ字状をなすように連結された構造となっている。後方側のプレート２９ｂが下ハンガー取付部３１の先端に取付固定されている。両プレート２９ａ，２９ｂ間には弾性部材が設けられ、両プレート２９ａ，２９ｂは略Ｖ字状に弾力的に姿勢維持される。
【００３３】
クリップ２９は、両プレート２９ａ，２９ｂの間に衣服、特にズボンやスカート等の下半身に着用する衣服であるボトムを挟持状態で係止掛けすることができる。
【００３４】
上ハンガー取付部２４の基端位置（上フック１９の略水平部分の始端位置）は、下ハンガー取付部３１の基端位置（下フック２８の略水平部分の始端位置）に対して前方に偏位している。本実施形態においては、上ハンガー取付部２４の基端位置は、下ハンガー取付部３１の先端位置より前方に位置している。
【００３５】
このため上ハンガー取付部２４に係止取付けされるハンガー２３は、下ハンガー取付部３１に係止取付けされるハンガー２５より前方に位置する。また上ハンガー取付部２４に係止取付けされるハンガー２３は、クリップ２９のボトムの挟持係止位置と前後方向において概ね同じ位置又は前方側に位置する。
【００３６】
本実施形態においては、上記フック部３の左右両側に、バッグ等を係止することができる補助フック３２が設けられている。該補助フック３２は、平面視で略Ｌ字又は逆Ｌ字状をなすように折り曲げ形成されたプレートからなる。補助フック３２は軸３３を介して背面板６に取り付けられている。
【００３７】
軸３３は前面板７を通過し、背面板６に裏面（後方）からボルト３４によって固定されている。ボルト３４を軸３３から取り外すことによって補助フック３２をスタンド部２から取り外すことができる。
【００３８】
本ハンガー支持体１は以上のように構成されており、図４，図５に示されるように、シャツ，ブラウス，ジャケット等の上半身に着用する衣服であるトップス（図においてはジャケットＪ）を掛けたハンガー２３を上方側のフック体１３（上ハンガー取付部２４）に係止して取付け、ボトム（図においてはズボンＰ）を下ハンガー取付部３１に取付固定されたクリップ２９に係止掛けすることができる。
【００３９】
上側のフック体１３と下側のフック体１４の高さ位置を前述のように調節し、上記のようにジャケットＪとズボンＰとをハンガー２３及びクリップ２９を介して本ハンガー支持体１に掛けると、当該ジャケットＪとズボンＰとは、人間が着たような着用状態に展示配置される。
【００４０】
前述のようにクリップ２９に係止掛けされたズボンＰに対して、上ハンガー取付部２４にハンガー２３を介して係止されたジャケットＪが前方に配置され、特に上ハンガー取付部２４に前後に２つハンガー２３，２３’を係止取付けし、前方側のハンガー２３’にシャツやブラウス等のインナー（図においてはシャツＳ）を掛け、後方側のハンガー２３にアウター（図においてはジャケットＪ）を掛け、ジャケットＪの前身頃をシャツＳの前身頃より前に羽織らせることによって、ジャケットＪの後身頃から前身頃までの前後の奥行き距離が比較的大きくなり、実際に人がシャツＳの上にジャケットＪを羽織っている状態がシミュレートされて、各々本ハンガー支持体１に掛けられる。
【００４１】
図４，図５は、インナーが掛けられた前方側のハンガー２３’がアタッチメントフック３６を介して上ハンガー取付部２４に掛けられている。これにより例えばジャケットＪの生地の厚さ分インナーの位置を下げ、アウターに対するインナーの位置をリアルにすることができる。ただし前後のハンガー２３，２３’を両方直接上ハンガー取付部２４に掛け、アウターとインナーの肩の高さを揃えることで、アウターに対するインナーの位置をリアルにすることもできる。
【００４２】
上記のように本ハンガー支持体１にトップスとボトムとを係止することによって、よりリアルにトップスとボトムとのコーディネイトやインナーとアウターのコーディネイト等を確認することができる。例えば本ハンガー支持体をアパレルの店舗等に設置することによって、衣服等の購入者が当該店舗において、展示されているトップス、ボトム、インナー、アウター等をハンガーを介して本ハンガー支持体１に掛けることによって、購入前にコーディネイトをリアルに確認することができる。
【００４３】
ボトムを掛けたハンガーを下方側のフック体１４（下ハンガー取付部３１）に係止することもできる。ボトムの種類等に応じてボトムを掛けたハンガーを上記アタッチメントフック３６等を介して下ハンガー取付部３１に係止することもできる。
【００４４】
帽子ハンガー２２に帽子を係止することによって帽子を含めたコーディネイトをリアルに確認することができる。ミラーユニット２１の鏡２７に購入者が自身の顔等を映すことによって、自身をモデルにしたコーディネイトをリアルに確認することができる。
【００４５】
ミラーユニット２１に代えてディスプレイを設け、該ディスプレイに購入者自身又は上記のようにコーディネイトされた衣服を着用する対象者の顔を任意に表示できるように構成することもできる。これにより上記コーディネイトを、その場にいない対象者の顔に合わせて確認することも可能となる。
【００４６】
補助フック３２にバッグやその他アクセサリ等を係止することによって、係止されたバッグやその他アクセサリを含めたコーディネイトをリアルに確認することができる。底板４に靴を配置することによって靴を含めたコーディネイトをリアルに確認することができる。
【００４７】
図６に示されるようなケースハンガー３７を使用して、折り畳まれた状態のシャツを本ハンガー支持体１（上ハンガー取付部２４）に掛けることもできる。ケースハンガー３７は、図７に示されるように、例えば折り畳まれて透明な袋内に包装されたシャツＳ１を、下方側の受け３８内に挿入することによって、上記シャツを収納することができる。
【００４８】
ケースハンガー３７の本体３９に設けられたフック４０を上ハンガー取付部２４側に係止することによって、ケースハンガー３７を上ハンガー取付部２４に係止取付けすることができる。これにより上記のように折り畳まれた状態のシャツ等をコーディネイトに使用することができる。
【００４９】
シャツやセータ等の首部から挿入し、該シャツやセータ等を掛けることができるハンガー（図示しない）を使用することによって、ニット（セータ等）やシャツ等をコーディネイトに使用することができる。
【００５０】
上下の両フック体１３，１４と一体的に上ハンガー取付部２４と下ハンガー取付部３１は、同一の軸心上を各別に上下スライド移動する。上方のフック体１３に対して下方のフック体１４を上下スライド移動させることによって、下ハンガー取付部３１をボトムの長さやサイズ、種類に合わせた位置に容易に配置することができる。
【００５１】
上方のフック体１３、或いは上下の両フック体１３，１４を上下スライド移動させることによって、上ハンガー取付部２４や下ハンガー取付部３１の高さ位置を身長やトップス及びボトムのサイズに容易に合わせることができる。なお上下の両フック体１３，１４を一体的に連結し、上ハンガー取付部２４と下ハンガー取付部３１を一体的に上下移動させるように構成することもできる。
【００５２】
上記のように上下のフック体１３，１４を上下スライド移動させることによって、子供用の衣服のコーディネイトを行うこともできる。この場合靴を含めたコーディネイトを行う場合、底板４に靴を配置すると、衣服、特にボトムと靴との高さが合わなくなるケースがある。
【００５３】
これに対して図８に示されるように、靴を載置することができる靴ハンガー４１を取り付けることもできる。該靴ハンガー４１は、靴を載置する靴載置部４２と本ハンガー支持体１への取り付け用の靴ハンガーフック４３とからなる。靴ハンガーフック４３は、フック部３の下方側の軸１６や、下ハンガー取付部３１側に係止することができる。例えば図８に示されるように、靴ハンガーフック４３をフック部３の下方側の軸１６に係止することによって、靴ハンガー４１が本ハンガー支持体１に係止取付けされる。
【００５４】
上記のように本ハンガー支持体１に取り付けられた靴ハンガー４１の靴載置部４２に靴を載置することによって、底板４に靴を載置する場合に比較して、靴を高位置に配置することができ、子供用の衣服のコーディネイトを行う場合、特にボトムと靴との高さを合わせることができ、靴を含めた子供用の衣服のコーディネイトをリアルに確認することができる。
【００５５】
本実施形態の靴ハンガー４１における靴載置部４２は、靴ハンガー４１が本ハンガー支持体１に係止取付けされた状態で、概ね水平をなす靴載置姿勢と、本ハンガー支持体１に沿うように概ね垂直に折り畳まれた折畳み姿勢とに姿勢切換可能に靴ハンガーフック４３に取り付けられている。
【００５６】
このため靴ハンガー４１を使用しない場合は、靴載置部４２を折畳み姿勢に折り畳むことができる。なお靴ハンガー４１を下方側の軸１６に係止取り付けすることによって、靴を上下のフック体１３，１４に対して固定位置に配置することができる。靴ハンガー４１を下ハンガー取付部３１に係止取り付けすることによって、靴をボトムに対して固定位置に配置することができる。靴ハンガー４１の取付け位置はケースバイケースで使い分けることができる。
【００５７】
以上のように通常のハンガーの他、ケースハンガー３７や、図示しないシャツやセータ等の首部から挿入して該シャツやセータ等を掛けることができるハンガー、靴ハンガー４１等を使用することによって、靴を含み、略全ての衣服をハンガーを介して、利用者の好みに応じたコーディネイトで本ハンガー支持体１に掛け、利用者がコーディネイト状態を確認することができる。
【００５８】
また店舗等における展示状態でハンガーに掛けられた衣服、例えばジャケット等は、当該衣服が元々掛かっているハンガーを上ハンガー取付部２４側や下ハンガー取付部３１側に係止することができる。つまり元々衣服が掛けられたハンガーを本ハンガー支持体１のハンガーとして使用することもできる。
【００５９】
なお本明細書中においては、コーディネイトに使用する衣服等を掛けたり挟んだりして保持することができるものを全てハンガーとして定義する。このため上記ケースハンガー３７や、シャツやセータ等の首部から挿入して該シャツやセータ等を掛けることができるハンガー、靴ハンガー４１の他、ボトム用のハンガーとして機能しているクリップ２９もハンガーに含まれる。このため下ハンガー取付部３１は、ボトム用ハンガーであるクリップ２９が一体的に取り付けられた構造をなす。
【００６０】
前面板７は前述のように透明であるため、前面板７と背面板６との間に、ポスターやその他表示物を配置し、ポスターや表示物を正面（前方）側から見ることができるように設定することができる。
【００６１】
前面板７を背面板６から分離し、ポスターや表示物にボルト９に対応する位置に孔を開け、ボルト９によってポスターや表示物の位置決めをしながら前面板７を背面板６に取り付けることにより、ポスターや表示物を装着することができる。使用方法の説明図やイメージポスター、身長のスケール等を前面板７と背面板６との間に設けて表示することができる。ポスターや表示物の変更も容易に行うことができる。
【００６２】
なお本実施形態においては、スタンド部２を本体とし、上ハンガー取付部２４と下ハンガー取付部３１は上記のようにスタンド部２の正面側に取付けられているが、壁や柱等を本体として上ハンガー取付部２４と下ハンガー取付部３１を取り付けても良い。またトップスとボトムの種類やサイズがある程度決まっている場合は、上ハンガー取付部２４と下ハンガー取付部３１の位置を、トップスとボトムが概ね人間が着たような着用状態に展示配置されるように固定しても良い。
【図面の簡単な説明】
【００６３】
【図１】ハンガー支持体の正面斜視図である。
【図２】ハンガー支持体の側断面図である。
【図３】ハンガー支持体の斜め上方視の斜視図である。
【図４】ジャケットとズボンを掛けたハンガー支持体の正面図である。
【図５】ジャケットとズボンを掛けたハンガー支持体の側面図である。
【図６】ボックスハンガーの正面斜視図である。
【図７】ボックスハンガーに折り畳み状態のシャツを挿入した状態を示す側断面図である。
【図８】靴ハンガーを取り付けたハンガー支持体の正面斜視図である。
【符号の説明】
【００６４】
２    スタンド部（スタンド）
６    背面板（プレート）
７    前面板（透明プレート）
２３  ハンガー
２４  上ハンガー取付部（ハンガー取付部）
２９  クリップ（ハンガー）
３１  下ハンガー取付部（ハンガー取付部）
【図１】
2007300965.tif 000003
【図２】
2007300965.tif 000004
【図３】
2007300965.tif 000005
【図４】
2007300965.tif 000006
【図５】
2007300965.tif 000007
【図６】
2007300965.tif 000008
【図７】
2007300965.tif 000009
【図８】
2007300965.tif 000010